(57)【特許請求の範囲】
【請求項１】
合成樹脂の成型物である下半身、上半身及びスカートを有し、前記下半身の上端に突起が付設され、前記上半身の下端には前記突起が嵌合可能な穴が形設され、前記突起を前記穴に嵌合させることによって前記下半身と前記上半身とが連結されるように構成されると共に、前記スカートが着脱可能に構成された小型人形において、前記穴は小径部分及び大径部分を有する凸状の穴として構成され、前記下半身の突起は前記凸状の穴の小径部分に嵌合可能に構成され、一方、前記スカートは前後に分割可能なスカート片から構成されて、各スカート片の上端には前記下半身の突起の頭部を露出した状態で該突起を前後から被覆可能な半筒状の突起が付設され、この半筒状の突起は前記凸状の穴の大径部分に嵌合可能に構成されていることを特徴とする小型人形。
【請求項２】
前記前後に分割可能なスカート片の一方には位置決め用突起が付設され、他方には該位置決め用突起が嵌合する位置決め用穴が形設されていることを特徴とする請求項１記載の小型人形。
【請求項３】
合成樹脂の成型物である下半身、上半身及びパンツを有し、前記下半身の上端に突起が付設され、前記上半身の下端には前記突起が嵌合可能な穴が形設され、前記突起を前記穴に嵌合させることによって前記下半身と前記上半身とが連結されるように構成されると共に、前記パンツが着脱可能に構成された小型人形において、前記穴は小径部分及び大径部分を有する凸状の穴として構成され、前記下半身の突起は前記凸状の穴の小径部分に嵌合可能に構成され、一方、前記パンツは前後に分割可能なパンツ片から構成されて、各パンツ片の上端には前記下半身の突起の頭部を露出した状態で該突起を前後から被覆可能な半筒状の突起が付設され、この半筒状の突起は前記凸状の穴の大径部分に嵌合可能に構成されていることを特徴とする小型人形。
【請求項４】
前記前後に分割可能なパンツ片の一方には位置決め用突起が付設され、他方には該位置決め用突起が嵌合する位置決め用穴が形設されていることを特徴とする請求項３記載の小型人形。
【発明の詳細な説明】
【０００１】
【発明の属する技術分野】
本発明は小型人形に関するものである。
【０００２】
【従来の技術】
従来、小型人形の構成部品、例えば上半身、下半身及びスカートをカプセルに封入して販売することが行われている。このカプセルに封入される小型人形は、図４に示すように、例えば合成樹脂の成型物である上半身５０、下半身６０及びスカート７０を有している。この小型人形は、上半身５０、下半身６０及びスカート７０が互いに分離可能に構成され、上半身５０の下端に突起５１が付設され、下半身６０の上端に該突起５１と嵌合する穴６１が形設され、該突起５１と該穴３１とを嵌合させることによって上半身５０と下半身６０とを連結させ、下半身６０の腰部分にてスカート７０を支えるように構成されている。また、スカート７０は前後に分割可能なスカート片７１，７２によって構成されている。
【０００３】
また、図５に示すように、スカート７０の上端を上半身５０と下半身６０とで挟持するように構成されたものも存在する。
【０００４】
ところで、前述のように腰部分でスカート７０を支えるような場合や、スカート７０の上端を上半身５０と下半身６０とで挟持するような場合には、スカート片７１，７２が左右にずれてしまったり、前後に開いてしまったりし易い。かかる事態を防止するため、前後のスカート片の一方に突起７３を付設し、他方に該突起７３が嵌合可能な穴７４を形設し、この突起７３と穴７４を嵌合させることが行われている。この場合の突起７３及び穴７４はスカート片７１，７２の縁部に設けられるのが一般的である。
【０００５】
【発明が解決しようとする課題】
しかしながら、成型にあたっては樹脂の成型後のひけを考慮しなければならない。
すなわち、スカート片７１，７２を成型した場合、ひけによってスカート片７１，７２が縮む。そのため、スカート片７１，７２に設けた突起７３及び穴７４がうまく嵌り合わない場合が生じる。そして、この場合には、スカート片７１，７２が左右にずれたり、また、前後に開いてしまったりするのを効果的に防止できず、小型人形の見栄えが悪いものとなってしまう。
また、突起７３及び穴７４は、スカート片７１，７２の間に左右のずれや前後の隙間が生じないようにするためには、突起７３と穴７４とがきつく嵌り合う必要があるが、ひけによって突起７３及び穴７４に寸法誤差が生じて突起７３と穴７４とがうまく嵌り合わない場合が生じる。
【０００６】
このような問題はスカートのみならず、前後に分割可能なパンツ片で構成されるパンツを有する小型人形にも生じる。
【０００７】
本発明は、かかる点に鑑みなされたもので、スカートやパンツの着脱に適した構造の小型人形を提供することを目的としている。
【０００８】
【課題を解決するための手段】
請求項１記載の小型人形は、合成樹脂の成型物である下半身、上半身及びスカートを有し、前記下半身の上端に突起が付設され、前記上半身の下端には前記突起が嵌合可能な穴が形設され、前記突起を前記穴に嵌合させることによって前記下半身と前記上半身とが連結されるように構成されると共に、前記スカートが着脱可能に構成された小型人形において、前記穴は小径部分及び大径部分を有する凸状の穴として構成され、前記下半身の突起は前記凸状の穴の小径部分に嵌合可能に構成され、一方、前記スカートは前後に分割可能なスカート片から構成されて、各スカート片の上端には前記下半身の突起の頭部を露出した状態で該突起を前後から被覆可能な半筒状の突起が付設され、この半筒状の突起は前記凸状の穴の大径部分に嵌合可能に構成されていることを特徴とする。
この小型人形によれば、各スカート片に設けられる半筒状の第２の突起は凸状の穴の大径部分に嵌合し、下半身上端の突起は凸状の穴の小径部分に嵌合する。その結果、前後に分割可能なスカート片が上半身と下半身とで挟持されるだけでなく、半筒状の第２の突起と凸状の穴との嵌合によって固定されるので、スカート片がずれたり、開いたりするのが阻止されることになる。また、上半身の穴を凸状の穴とすることによって、該凸状の穴を形設する金型のピンも凸状となり根本部分が強固なものとなる。その結果、該ピンが撓ったり、曲がったり、折れたりする危険性が軽減され、金型の保守に要するコストを低減できることになる。
【０００９】
請求項２記載の小型人形は、請求項１記載の小型人形において、前記前後に分割可能なスカート片の一方には位置決め用突起が付設され、他方には該位置決め用突起が嵌合する位置決め用穴が形設されていることを特徴とする。
この小型人形によれば、スカート片の一方には位置決め用突起が、他方には位置決め用穴が設けられるが、これらはあくまで位置決めのためのものであるので、ゆるく嵌合すれば足りる。その結果、位置決め用突起及び位置決め用穴の寸法精度が低くてもよく、多少の寸法誤差が生じても問題は生じない。
【００１０】
請求項３記載の小型人形は、合成樹脂の成型物である下半身、上半身及びパンツを有し、前記下半身の上端に突起が付設され、前記上半身の下端には前記突起が嵌合可能な穴が形設され、前記突起を前記穴に嵌合させることによって前記下半身と前記上半身とが連結されるように構成されると共に、前記パンツが着脱可能に構成された小型人形において、前記穴は小径部分及び大径部分を有する凸状の穴として構成され、前記下半身の突起は前記凸状の穴の小径部分に嵌合可能に構成され、一方、前記パンツは前後に分割可能なパンツ片から構成されて、各パンツ片の上端には前記下半身の突起の頭部を露出した状態で該突起を前後から被覆可能な半筒状の突起が付設され、この半筒状の突起は前記凸状の穴の大径部分に嵌合可能に構成されていることを特徴とする。
この小型人形によれば、各パンツ片に設けられる半筒状の第２の突起は凸状の穴の大径部分に嵌合し、下半身上端の突起は凸状の穴の小径部分に嵌合する。その結果、前後に分割可能なパンツ片が上半身と下半身とで挟持されるだけでなく、半筒状の第２の突起と凸状の穴との嵌合によって固定されるので、パンツ片が互いにずれたり、開いたりするのが阻止されることになる。
【００１１】
請求項４記載の小型人形は、請求項３記載の小型人形において、前記前後に分割可能なパンツ片の一方には位置決め用突起が付設され、他方には該位置決め用突起が嵌合する位置決め用穴が形設されていることを特徴とする。
この小型人形によれば、パンツ片の一方には位置決め用突起が、他方には位置決め用穴が設けられるが、これらはあくまで位置決めのためのものであるので、ゆるく嵌合すれば足りる。その結果、位置決め用突起及び位置決め用穴の寸法精度が低くてもよく、多少の寸法誤差が生じても問題は生じない。
【００１２】
【発明の実施の形態】
図１には実施形態に係る小型人形が示されている。この小型人形１００は合成樹脂の成型物である下半身１０、上半身２０及びスカート３０を備えている。なお、下半身１０は膝下が着脱可能に構成されていてもよいし、また、上半身２０は首や手が着脱可能に構成されていてもよい。
【００１３】
前記小型人形１００の下半身１０の上端には円柱状の突起１１が付設されている。一方、上半身２０の下端には前記突起１１が嵌合可能な凸状の穴２１が形設されており、前記突起１１は凸状の穴２１の小径部分２１ａ（図２参照）に嵌合するようになっている。そして、この嵌合によって、下半身１０と上半身２０とが連結されるように構成されている。
【００１４】
また、スカート３０は前後に分割可能なスカート片３１，３２から構成されている。スカート片３１，３２の上端は下半身１０に乗るように構成され、スカート片３１，３２の上端には半筒状の突起３１ａ，３２ａが付設されている。この半筒状の突起３１ａ，３２ａは前記突起１１を頭部を残して前後方向から被覆する形状及び長さとなっている。この半筒状の突起３１ａ，３２ａは、図２に示すように、前記突起１１を前後方向から被覆した状態で前記凸状の穴２１の大径部分２１ｂに嵌合するようになっている。
【００１５】
また、スカート片３１のスカート片３２との当接部の内側には位置決め用突起３３が設けられ、一方、スカート片３２の対応部分には前記位置決め用突起３３が嵌合する位置決め用穴３４が設けられている。
【００１６】
以上が小型人形１００の構成であるが、続いて、スカート３０の着脱の仕方について説明する。
【００１７】
まず、スカート３０の取着の仕方を説明すれば、図２に示すように、下半身１０を上半身２０と分離した状態で下半身１０に前後方向からスカート片３１，３２を取り付ける。この場合、スカート片３１，３２の上端が下半身１０に乗るようにすると共に、半筒状の突起３１ａ，３２ａが前記突起１１を頭部を残して前後方向から被覆するようにする。また、位置決め用突起３３が位置決め用穴３４に入り込むようにする。この状態を保ったままで、下半身１０を上半身２０と連結する。すなわち、凸状の穴２１の大径部分２１ｂに突起３１ａ，３１ｂを嵌合させ、凸状の穴２１の小径部分２１ａに下半身１０の突起１１を嵌合する。このようにして、スカート３０が小型人形１００に取着される。
【００１８】
一方、スカート３０が取着された小型人形１００からスカート３０を離脱させるには、下半身１０及び上半身２０を互いに離反する方向に引っ張り、下半身１０を上半身２０から分離させる。その際、スカート３０を同時に上半身２０から分離させるか、或いは下半身１０だけを上半身２０から分離させる。スカート３０が下半身１０側に付着している場合には、スカート片３１，３２を互いに離反させる。これによってスカート３０を離脱させる。一方、スカート３０が上半身２０側に残っている場合には、スカート３０を上半身２０から分離させてスカート片３１，３２を互いに離反させる。これによってスカート３０を離脱させる。その後に、必要に応じて他のスカート３０を取着させる。
【００１９】
以上、本発明の実施形態について説明したが、本発明は、かかる実施形態に限定されるものではなく、その要旨を変更しない範囲で種々変形可能であることは言うまでもない。
【００２０】
例えば、前記実施形態では、スカート３０が前後に分割可能なスカート片３１，３２から構成されている場合について説明したが、前後に分割不能に構成されているスカートにも適用できる。この場合には、スカートの前後左右の位置決めが正確になされることになる。
【００２１】
また、前記実施形態では、スカート３０を例に説明したが、図３に示すようなパンツ４０の場合にも適用できることは勿論である。この場合には同図に示すようにパンツ片４１，４２の人形の股下となる部分に位置決め用突起４３及び位置決め用穴４４を設けることが好ましい。この点はスカートの場合も同様である。
【００２２】
【発明の効果】
本発明の代表的なものの効果を説明すれば、合成樹脂の成型物である下半身、上半身及びスカートを有し、前記下半身の上端に突起が付設され、前記上半身の下端には前記突起が嵌合可能な穴が形設され、前記突起を前記穴に嵌合させることによって前記下半身と前記上半身とが連結されるように構成されると共に、前記スカートが着脱可能に構成された小型人形において、前記穴は小径部分及び大径部分を有する凸状の穴として構成され、前記下半身の突起は前記凸状の穴の小径部分に嵌合可能に構成され、一方、前記スカートは前後に分割可能なスカート片から構成されて、各スカート片の上端には前記下半身の突起の頭部を露出した状態で該突起を前後から被覆可能な半筒状の突起が付設され、この半筒状の突起は前記凸状の穴の大径部分に嵌合可能に構成されているので、スカートの着脱に適した構造の小型人形が実現できる。また、上半身の穴を凸状の穴とすることによって、該凸状の穴を形設する金型のピンも凸状となり根本部分が強固なものとなる。その結果、該ピンが撓ったり、曲がったり、折れたりする危険性が軽減され、金型の保守に要するコストを低減できることになる。
【図面の簡単な説明】
【図１】第１の実施形態に係る小型人形のスカートの取着構造を示す斜視図である。
【図２】図１の小型人形のスカートの取着構造を示す側面図である。
【図３】他の実施形態に使用されるパンツの分解斜視図である。
【図４】従来の小型人形のスカートの取着構造を示す斜視図である。
【図５】従来の小型人形の他のスカートの取着構造を示す斜視図である。
【符号の説明】
１００      小型人形
１０        下半身
２０        上半身
３０        スカート
３１，３２  スカート片
４０        パンツ
４１，４２  パンツ片
【図１】
0003781633.tif 000002
【図２】
0003781633.tif 000003
【図３】
0003781633.tif 000004
【図４】
0003781633.tif 000005
【図５】
0003781633.tif 000006